(57)【要約】【課題】    使い勝手の良い経済的な釣り用重量調節錘を提供すること。【解決手段】釣り用重量調節錘の中央部に釣り糸用の貫通孔を有し、その錘の上面に前記貫通孔を跨いで上方に突出する金環を設け、前記錘の底面に前記金環の突出部が収納可能な規模と形状を有する凹陥部を形成したもの。【選択図】図１
2008061637.tif 000002
【特許請求の範囲】
【請求項１】
中央に釣り糸用の貫通孔を有する錘であって、その錘の上面に前記貫通孔を跨いで上方に突出する金環を設け、前記錘の底面に前記金環の突出部が収納可能な規模と形状を有する凹嵌部を形成したことを特徴とする釣り用重量調節錘。
【請求項２】
直径よりも長さの方が大きな円柱状の単体から構成さたことを特徴とする請求項１記載の釣り用重量調節錘。
【発明の詳細な説明】
【技術分野】
【０００１】  本発明は釣り用の錘に関し、特に複数の錘りを連結して錘の重量を調節することができる錘の構成に関するものである。
【背景技術】
【０００２】  釣り用の錘の重量（号数）の調節をすることができる錘は既に知られており、複数個の錘を連結し、その連結する錘の数によって総重量を調節するようになっている。
例えば特許文献１、２では、ベースとなる錘に複数の形状の異なる重量調節用の錘を順次ネジ結合により連結し、最終的に異なる重量を有する錘を構成するものであり、特許文献３では、個々の錘に釣り糸用貫通孔を有してはいるが、個々の錘の連結手段にはやはりネジ結合による連結手段を使用している。【０００３】  しかしながら、これらの重量調節錘は、複数個の形状や構成の異なる部品を組み合わせて形成されるものであり、製造工程が複雑となり結果的に商品価格の低下には寄与する効果も少なく、調節する重量の相違によっては使用する部品の形や種類も異なる場合が生ずるので、その都度取扱い操作が相違するため、不安定な船上や釣り場においてはあまり推奨できるものではない。
【特許文献１】特開２０００−２９５９５３号公報
【特許文献２】実全平０４−４９９７６号公報
【特許文献３】特開２００１−３４６４８７号公報
【発明の開示】
【発明が解決しようとする課題】
【０００４】  そこで、本発明は、前述したような重量調節錘に形状と大きさ及び構成が同じ単位体から成る錘を使用することにより、従来の重量調節錘のような取扱い操作の不都合を解消し、使い勝手の良い経済的な釣り用重量調節錘を提供することを目的とするものである。
【問題を解決するための手段】
【０００５】  本発明は、前記目的を達成するため、請求項１記載の発明では、釣り用重量調節錘の中央部に釣り糸用の貫通孔を有し、その錘の上面に前記貫通孔を跨いで上方に突出する金環を設け、前記錘の底面に前記金環の突出部が収納可能な規模と形状を有する凹陥部を形成したものである。
請求項２記載の発明は、請求項１記載の形状構成を有する個々の錘が直径よりも長さの方が大きな円柱状の単体を構成していることを特徴とするものである。
【発明の効果】
【０００６】  請求項１記載の発明では、複数の錘を連結して錘の重量調節を行う場合、下方に設けられた錘の金環が上側にある錘の凹陥部に収納されるようになっているので外部から見て違和感が無く連結された複数の錘があたかも一体の錘のように順次積み重ねられる。
また、請求項２に記載された発明では、個々の錘が直径よりも長さの方が大きな円柱状の単体を構成することにより貫通孔に通した釣り糸に沿って自由に摺動して移動し易く、根掛かりし難いと共に連結用に貫通孔を通している釣り糸が擦りきれ難くなる。
【０００７】  更に、本発明では全て同一の形状構成の錘の連結数を変えるだけで簡単に錘の重量調節を行うことができるので、使い勝手も良く製造も容易で、従来の重量調節錘には見られない優れた効果を有するものである。
【発明を実施するための最良の形態】
【０００８】  以下、本発明の実施形態を図１〜３に基づき説明する。
図１は本発明の重量調節錘本体の構造説明図で、（ａ）は上部平面図、（ｂ）は錘本体の部分断面側面図、（ｃ）は底部平面図である。
１は通常は鉛で作られた円柱状のブロックから成る錘本体で、中央部には上面１ａから底面１ｂにかけて釣り糸（道糸や先糸を総称する）を通すための貫通孔２が形成されており、更に錘の上面には貫通孔２を跨いで釣り糸を結びつける金環３が設けられ、底面１ｂには凹陥部４が形成されており、この凹陥部４には、複数の錘を連結した場合、下方に位置する側の錘の金環３が収納可能な規模（大きさ）と形状を有している。【０００９】  錘本体１は、環境保全のため最近では鉛に代えて鋳鉄やアンチモンなどで成形され、鉛に樹脂をコーティングして使用することも行われている。金環３は錘を成形するときに先端に抜け止めを形成したＵ字形の金属製ワイヤー等で作った部品をインサート成形するなり、後から半田付けを行ったり、適当な手段によって設けることができる。
又、貫通孔２や凹陥部４についても錘の鋳造成形時に一体に成形することが好ましいが、錘の本体を丸棒から図のような円柱状のブロックとして切り出し、その後切削加工によって成形することもできる。いずれにしろ本発明は、その製造方法の如何にかかわらず、特許請求の範囲の記載に係る構成を有する重量調節錘に特徴を有するものである。【００１０】  なお、以下の説明において同一機能を有する部材や部位、構成部分については同一の符号や文字を付けて説明を省略する場合がある。【００１１】  図２は本発明の使用形態を示す第１の実施例である。
１０は重量調節錘の各単位体を示しており、各錘単位体１０にはその表面には錘の一単位体の重量を示す数字（この場合は２０号の重さ）が表示されており、１個２０号の錘を３個連結することにより、外観上は総重量６０号の１個の錘を釣り糸Ｌによって吊り下げられていることになる。
本発明の錘は図に示されるように一番下の錘の金環３に釣り糸Ｌを結びつけておけば、釣り場の条件により釣り糸を通した単一の錘の数を変えるだけで、格別な連結機構を必要とせず、連結された複数の錘があたかも一体の錘のように順次積み重ねられ、外観上の違和感も感じられないのである。【００１２】  図３は本発明の使用形態を示す第２の実施例である。
ここに示す各錘の一単位体２０の重量は３０号の重さを有し、図２の錘１０よりも径が小さく長さが長い形状の錘が使用されている。
これらの錘の総重量は６０号で第１の実施例に示す図１の錘の総重量と同じである。しかしながら、潮流の早い釣り場や根掛かりの多い釣り場環境では、潮流に対する抵抗力が小さいため錘の移動が少なく、移動によって生ずる錘の数も少ないので根掛かりもし難く、錘単体の貫通孔の長さも長いので釣り糸が錘の連結部において摩擦することが少ないので、釣り糸の擦り切れ事故も少なくなる効果を有する。【００１３】  以上のように、本発明の重量調節錘は、従来の連結方式による重量調節錘に較べて、取扱い容易で、製造や構成が簡単で外観も使い勝手も優れた効果を有する重量調節錘を提供できるものである。
【図面の簡単な説明】
【００１４】
【図１】本発明の錘本体の構造説明図である。
【図２】本発明の使用形態を示す第１の実施例である。
【図３】本発明の使用形態を示す第２の実施例である。
【符号の説明】
【００１５】  １・・・錘本体
１ａ・・・上面
１ｂ・・・底面
２・・・貫通孔
３・・・金環
４・・・凹陥部
【図１】
2008061637.tif 000003
【図２】
2008061637.tif 000004
【図３】
2008061637.tif 000005